(57)【要約】【課題】本発明の課題は、遠心式ポンプ内の空気を速やかに外部へ抜いて、性能を速く回復すること。【解決手段】中心軸Ｏの回りに回転可能に配置され、羽根車を備えたロータと、吸込口２５６ａから吸い込まれた液体を中心軸に沿って羽根車まで導く円筒管２５２Ａを持つ上ケース２５Ａとを有する遠心式ポンプにおいて、円筒管２５２Ａのロータの羽根車側に１つの切り欠き２５２ａを設けている。上ケース２５Ａは、液体を中心軸Ｏと直交する半径方向に沿って外側から内側の吸込口２５６ａまで導く吸込管２５６を備えている。切り欠き２５２ａは吸込口２５６ａ側に設けられている。【選択図】図１１
2007113472.tif 000002
【特許請求の範囲】
【請求項１】
中心軸の回りに回転可能に配置され、羽根車を備えたロータと、吸込口から吸い込まれた液体を前記中心軸に沿って前記羽根車まで導く筒管を持つケーシングとを有する遠心式ポンプにおいて、
前記筒管の前記ロータの羽根車側に少なくとも１つの切り欠きを設けたことを特徴とする遠心式ポンプ。
【請求項２】
前記ケーシングは、前記液体を前記中心軸と直交する半径方向に沿って外側から内側の前記吸込口まで導く吸込管を備え、
前記切り欠きの１つが前記吸込口側に設けられている、ことを特徴とする請求項１に記載の遠心式ポンプ。
【請求項３】
前記切り欠きを複数備え、前記複数の切り欠きが前記中心軸の回りに対称に配置されている、請求項１又は２に記載の遠心式ポンプ。
【請求項４】
前記筒管が円筒管から成る、請求項１乃至３のいずれか１つに記載の遠心式ポンプ。
【請求項５】
前記ロータは、前記中心軸と同心の円環状の永久磁石を持ち、前記遠心式ポンプは、前記ケーシングを介して前記永久磁石の対向面に配置されたステータを備える、請求項１乃至４のいずれか１つに記載の遠心式ポンプ。
【発明の詳細な説明】
【技術分野】
【０００１】
本発明は、遠心式ポンプに関し、特に、ポンプ内に滞留している空気を外部へ排出する排出機構を備えた遠心式ポンプに関する。
【背景技術】
【０００２】
ポンプは、水などの液体を圧送する機械であって、液体を吸込口（流入口）から吸い込んで吐出口（流出口）から吐き出す機械である。ポンプには種々の種類があるが、その１つの種類として、遠心式ポンプが知られている。遠心式ポンプは、水などの液体をインペラーにより外周部の渦巻室へ急速に加速して送り出す機械である。換言すれば、遠心式ポンプは、羽根車を回転させることによって得られる遠心力で液体を圧送する機械である。このような遠心式ポンプは、高流量かつ高揚程を得ることが出来、効率も良いことから、ポンプの形式として広く採用されている。
【０００３】
一方、周知のように、種々のパーソナルコンピュータが発売されているが、パーソナルコンピュータは、ＣＰＵや、メモリ等を内蔵している。ＣＰＵはクロック周波数が高くなるに伴い、動作中に発生する熱が高くなる傾向にある。従って、ＣＰＵで発生した熱を外部へ排出する必要がある。
【０００４】
従来一般的にＣＰＵの排熱機構としては、ヒートシンクと空冷ファンとを組み合わせた空冷システムを採用している。しかしながら、この空冷システムを採用したパーソナルコンピュータでは、騒音の主な原因である「風切り音」が発生するという問題がある。このような「風切り音」を極力低減するために、ＣＰＵの冷却に水冷システムを採用したパーソナルコンピュータが開発され、注目されている。
【０００５】
上述した遠心式ポンプは、このような水冷システムにおいて、水を圧送するために使用される。このような遠心式ポンプは、筐体（ケーシング）の中央部に設けられた吸込口（流入口）から供給される水（液体）を、回転する羽根車の遠心力を利用して圧送し、筐体（ケーシング）の外周部に設けられた吐出口（流出口）から吐き出すような構成を持つ。その結果、何らかの原因で遠心式ポンプのケース内に空気が混入すると、その空気は遠心力のために筐体（ケーシング）の中央部に滞留してしまう。このような滞留した空気の量が大きくなると、遠心式ポンプの効率（性能）が著しく低下（劣化）するという欠点がある。そこで従来から、何らかの手段を用いて、筐体内に滞留した空気を外部へ放出することが行われている。
【０００６】
例えば、ロータの羽根入口径より内側の後面シュラウドに還流穴を設けて、ロータ内部に滞留した空気を確実に放出できるようにしたポンプが提案されている（例えば、特許文献１参照）。
【０００７】
一方、吸込口（流入口）から羽根車への流路における、急激な管路拡大による圧力損失を避けるため、筐体の中央部で円筒管を羽根車の方向へ向けて延在した構造を持つ遠心式ポンプが知られている。
【０００８】
以下、図１及び図２を参照して、このような構造を持つ遠心式ポンプについて説明する。図示の遠心式ポンプ１０では、後述する羽根車を回転駆動するモータとしてＤＣブラシレスモータを採用している。
【０００９】
図示の遠心式ポンプ１０は、筐体（後述する）の中心で、所定の中心軸Ｏ方向（図示の例では上下方向）に延在する固定軸１１を備え、この固定軸１１には軸受け１３を介してロータ１５が回転自在に取り付けられている。ロータ１５は、軸受け１３に回転自在に取り付けられた、中心軸Ｏ方向に延在する円筒部１５１と、この円筒部１５１の上端で、中心軸Ｏ方向と直交する方向（半径方向外側）に延在する円環部１５３と、この円環部１５３の下面の外周端に固定された、固定軸１１と同心の円環状の永久磁石１５５とを有する。この永久磁石１５５は周方向に着磁されている。
【００１０】
固定軸１１の下端は、後述する下ケースの支持部を介して、中心軸Ｏ方向と直交する方向（半径方向外側）へ延在する略円形平板状の基板１７に固定されている。この基板１７の主面（上面）１７ａ上に、ＤＣブラシレスモータのステータ１９が固定して取り付けられている。ステータ１９は、固定軸１１を中心として放射状に延びる複数の固定子コア１９１と、複数の固定子コア１９１のそれぞれに巻回した固定子コイル１９３と有する。
【００１１】
ステータ１９とロータ１５との間に下ケース２１が配置されている。詳述すると、下ケース２１は、固定軸１１の下端部を固定して支持する略円柱状の下支持部２１１と、ロータ１５の円筒部１５１の下面と所定の空間を空けて対向するように、下支持部２１１の上端部側から半径方向外側へ延在する第１の円環部２１２と、ロータ１５の円筒部１５１の外周面と所定の空間を空けて対向するように、第１の円環部２１２の外周端から上方へ延在する第１の円筒部２１３と、ロータ１５の円板部１５３の下面と所定の空間を空けて対向するように、第１の円筒部２１３の上端から半径方向外側へ延在する第２の円環部２１４と、ロータ１５の永久磁石１５５の内周面と所定の空間を空けて対向するように、第２の円環部２１４の外周端から下方へ延在する第２の円筒部２１５と、ロータ１５の永久磁石１５５の下面と所定の空間を空けて対向するように、第２の円筒部２１５の外周下端から半径方向外側へ延在する第３の円環部２１６と、ロータ１５の永久磁石１５５の外周面と所定の空間を空けて対向するように、第３の円環部２１６の外周端から上方へ延在する第３の円筒部２１７と、この第３の円筒部２１７の上周端から半径方向外側へ延在する延在する第４の円環部２１８とを有する。
【００１２】
ステータ１９は、下ケース２１の第１の円筒部２１３と、第２の円環部２１４と、第２の円筒部２１５との間に形成された空間内に配置される。一方、ロータ１５の永久磁石１５５は、下ケース２１の第２の円筒部２１５と、第３の円環部２１６と、第３の円筒部２１７との間に形成された空間内に配置される。したがって、ロータ１５の永久磁石１５５とステータ１９とは、下ケース２１の第２の円筒部２１５を間に挟んで、互いに対向して配置される。
【００１３】
下ケース２１は、第４の円環部２１３の上面の内周縁近傍から上方へ、固定軸１１と同心に、突出する円環状突出部２１９を備えている。この円環状突出部２１９の外周壁にはリング状のシールゴム２３が配置されている。
【００１４】
ロータ１５の円環部１５３の上面には、固定軸１１を中心として、半径方向へ放射状に延在する複数枚の羽根１５７が固定されている。これら複数枚の羽根１５７と上記円環部１５３と上記円筒部１５１とによって、羽根車が構成されている。換言すれば、ロータ１５は、羽根車と永久磁石１５５とによって構成されている。
【００１５】
ロータ１５は、上述した下ケース２１と後述する上ケース２５との間に形成される空間内に配置される。
【００１６】
図１及び図２に加えて図３乃至図５をも参照して、上ケース２５の構造について詳細に説明する。上ケース２５は、固定軸１１の上端部を固定して支持する円筒状の上支持部２５１と、この上支持部２５１から所定距離だけ離れて、上支持部２５１との間で流路用の空間を形成する円筒管２５２と、上記複数枚の羽根１５７を覆うように、円筒管２５２から半径方向外側へ延在するカップ状部２５３と、下ケース２１の第４の円環部２１８の上面と対向するように、カップ状部２５３の外周下端から半径方向外側へ延在する円環部２５４とを備えている。
【００１７】
上ケース２５は、水などの液体を吸い込む（流入する）ための吸込管（流入管）２５６と、液体を吐き出す（流出する）ための吐出管（流出管）２５７とを更に備える。
【００１８】
吸込管（流入管）２５６は、カップ状部２５３の上面上に中心軸Ｏ方向と直交する方向（半径方向又は水平方向）に延在して配置されており、吸込口（流入口）２５６ａを介して上ケース２５の中央部で上記円筒管２５２と連結されている。従って、液体は、吸込管２５６中を半径方向に沿って外側から内側へ流れ、吸込口２５６ａで直角に中心軸Ｏ方向に曲げられて、円筒管２５２を通り、羽根車へ導出される。
【００１９】
吐出管（流出管）２５７は、円環部２５４の上面上に中心軸Ｏ方向と直交する面（水平面）内で延在して配置されており、吐出口（流出口）２５７ａを介して上ケース２５のカップ状部２５３と外周部で連結されている。従って、回転する羽根車によって圧送された液体は、カップ状部２５３の外周部から吐出口（流出口）２５７ａを介して、吐出管２５７中を流れて水平方向に沿って吐き出される。
【００２０】
尚、円筒管２５２の上端は、円板状のキャップ２５８によって閉じられている。また、円環部２５４は、その下面側に円環状の凹部２５４ａを有する。この円環状の凹部２５４ａに、下ケース２１の円環状突出部２１９とリング状のシールゴム２３とが挿入され、下ケース２１と上ケース２５との間に挟まれた空間を密閉している。とにかく、下ケース２１と上ケース２５との組み合わせによって、遠心式ポンプ１０のケーシング（筐体）が構成されている。
【００２１】
図６に上ケース２５とロータ１５とを組み合わせた組み立て体の断面図を示す。図７に上ケース２５の円管２５２とロータ１５の複数枚の羽根１５７との間の配置関係を示す。上ケース２５での吸込管（流入管）２５６から羽根車までの流路に関して、急激な管路拡大による圧力損失を避けるために、円筒管２５２を羽根車に近接する位置まで延在させている。
【００２２】
【特許文献１】特開２００１−１５３０８３号公報
【発明の開示】
【発明が解決しようとする課題】
【００２３】
このような構造を有する従来の遠心式ポンプ１０においては、液体は吸込管（流入管）２５６中を、図８の矢印Ａで示されるように、半径方向（水平方向）に沿って外側から内側へ向けて流れ、吸込口（流入口）２５６ａを介して円筒管２５２中に入り、この円筒管２５２中を、図８の矢印Ｂで示されるように、中心軸Ｏ方向に沿って下方へ流れる。
【００２４】
これに対して、従来の遠心式ポンプ１０内に混入した空気は、その遠心式ポンプ１０の動作中においては、液体の遠心力により、中心軸Ｏ方向に集中する。しかしながら、円筒管２５２があるために、この混入した空気は、図８のＣの点線円で示される位置で、円筒管２５２の外周部に泡として滞留することになる。換言すれば、この滞留した空気（泡）は、液体の流路内に入ることがないので、遠心式ポンプ１０が動作している間、長時間にわたり、円筒管２５２の外周部に泡として滞留することなる。
【００２５】
そのため、従来の遠心式ポンプ１０では、性能が著しく劣化してしまうという問題がある。
【００２６】
したがって、本発明の課題は、遠心式ポンプ内の空気を速やかに外部へ抜いて、性能を速く回復することができる、遠心式ポンプを提供することにある。
【課題を解決するための手段】
【００２７】
本発明によれば、中心軸（Ｏ）の回りに回転可能に配置され、羽根車（１５１，１５３，１５７）を備えたロータ（１５）と、吸込口（２５６ａ）から吸い込まれた液体を前記中心軸に沿って前記羽根車まで導く筒管（２５２Ａ；２５２Ｂ；２５２Ｃ）を持つケーシング（２１，２５Ａ；２５Ｂ；２５Ｃ）とを有する遠心式ポンプにおいて、前記筒管の前記ロータの羽根車側に少なくとも１つの切り欠き（２５２ａ；２５２ａ−１；２５２ａ−２；２５２ａ−３）を設けたことを特徴とする遠心式ポンプが得られる。
【００２８】
上記遠心式ポンプにおいて、前記ケーシングは、前記液体を前記中心軸（Ｏ）と直交する半径方向に沿って外側から内側の前記吸込口（２５６ａ）まで導く吸込管（２５６）を備えていて良い。この場合、前記切り欠きの１つ（２５２ａ；２５２ａ−１）が前記吸込口（２５６ａ）側に設けられていることが好ましい。また、前記切り欠きを複数（２５２ａ−１；１５２ａ−１；２５２ａ−３）備えている場合、前記複数の切り欠きが前記中心軸（Ｏ）の回りに対称に配置されていることが望ましい。筒管は、例えば、円筒管から構成される。前記ロータ（１５）は、前記中心軸（Ｏ）と同心の円環状の永久磁石（１５５）を持って良い。この場合、前記遠心式ポンプは、前記ケーシング（２１，２５Ａ；２５Ｂ；２５Ｃ）を介して前記永久磁石（１５５）の対向面に配置されたステータ（１９）を備える。
【００２９】
尚、上記括弧内の符号は、本発明の理解を容易にするために付したものであり、一例にすぎず、これらに限定されないのは勿論である。
【発明の効果】
【００３０】
本発明では、筒管のロータの羽根車側に少なくとも１つの切り欠きを設けたので、筒管の外周部に滞留する空気（泡）を液体と接触させて、効率良く外部へ排出することが可能となる。
【発明を実施するための最良の形態】
【００３１】
以下、図面を参照して、本発明の実施の形態について詳細に説明する。
【００３２】
本発明が適用される遠心式ポンプの基本的な構成は、図１及び図２を参照して説明した従来の遠心式ポンプ１０と同じであり、異なる点は上ケースの構成にある。従って、図１及び図２に示されたものと同様の機能を有するものには同一の参照符号を付して、以下においては、説明を簡略するために、従来の遠心式ポンプ１０と異なる点についてのみ説明する。
【００３３】
図９乃至図１２を参照して、本発明の第１の実施の形態に係る遠心式ポンプに使用される上ケース２５Ａについて説明する。図示の上ケース２５Ａは、円筒管の構成が後述するように相違している点を除いて、従来の上ケース２５と同様の構成を有する。したがって、円筒管に２５２Ａの参照符号を付してある。
【００３４】
図示の円筒管２５２Ａは、ロータ１５の羽根車側に１つの切り欠き２５２ａを有している点を除いて、従来の円筒管２５２と同様の構成を有する。図示の切り欠き２５２ａは、図９乃至図１１から明らかように、吸込管（流入管）２５６の吸込口（流入口）２５６ａ側に形成されている。切り欠き２５２ａは、円筒管２５２Ａの内壁と外壁との間を連通するように形成されており、中心軸Ｏと平行に延在した矩形形状をしている。
【００３５】
このように切り欠き２５２ａを吸込管（流入管）２５６の吸込口（流入口）２５６ａ側に設けたのは、次の理由による。
【００３６】
図１３に吸込口（流入口）２５６ａ付近の液体の流入路（吸込管および円管）における液体の流速を矢印の長さで示す。矢印の長さが長ければ、それだけ液体の流速が早いことを示している。図１３から、円筒管２５２Ａにおいては、吸込口（流入口）２５６ａ側の方が、それとは反対の側と比較して、液体の流速が速いことが分かる。
【００３７】
したがって、切り欠き２５２ａを吸込管（流入管）２５６の吸込口（流入口）２５６ａ側に設けることにより、空気をより流速の速い液体に接触させることができる。これにより、遠心式ポンプ内に混入した空気を、効率良く外部へ排出することが可能となる。
【００３８】
次に、図１４を参照して、本実施の形態に係る遠心式ポンプによる空気の排出動作について説明する。
【００３９】
液体は吸込管（流入管）２５６中を、図１４の矢印Ａで示されるように、半径方向（水平方向）に沿って外側から内側へ向けて流れ、吸込口（流入口）２５６ａを介して円筒管２５２Ａ中に入り、この円筒管２５２Ａ中を、図１４の矢印Ｂで示されるように、回転軸Ｏ方向に沿って下方へ流れる。
【００４０】
一方、本実施の形態に係る遠心式ポンプ内に混入した空気は、その遠心式ポンプの動作中においては、液体の遠心力により、中心軸Ｏ方向に集中する。したがって、この混入した空気は、図１４のＣの点線円で示される位置で、円筒管２５２Ａの外周部に泡として滞留する。ここまでの動作は、従来の遠心式ポンプ１０と同じである。
【００４１】
本実施の形態に係る遠心式ポンプでは、円筒管２５２Ａに切り欠き２５２ａを設けているので、この切り欠き２５２ａで、流速の速い液体と遠心式ポンプに混入した空気（円筒管２５２Ａの外周部に滞留している泡）とが接触する。その為、液体に引きずられて泡（空気塊）が小さい気泡へと分離する。この分離した気泡は液体中に混ざって、吐出口２５７ａより排出される。
【００４２】
上述した動作を繰り返すことにより、切り欠き２５２ａが無い従来の上ケース２５を備えた従来の遠心式ポンプ１０と比較して、切り欠き２５２ａを持つ上ケース２５Ａを備えた本実施の形態に係る遠心式ポンプは、ポンプ内の空気を速やかに抜くことができるので、性能を速やかに回復させることができる。
【００４３】
とにかく、本実施の形態による遠心式ポンプでは、円筒管２５２Ａに切り欠き２５２ａを設けることにより、管路拡大による圧力損失を避けつつ、ポンプ内に混入した空気を流速の速い液体に接触させて、速やかに外部へ排出させることができる。
【００４４】
次に、切り欠き２５２ａが無い従来の上ケース２５を備えた従来の遠心式ポンプ１０と、１つの切り欠き２５２ａを持つ上ケース２５Ａを備えた本実施の形態に係る遠心式ポンプとに対して試験を行って比較した場合の、性能回復の速さの実験結果について説明する。
【００４５】
試験は次の条件下で行った。従来の遠心式ポンプ１０および本実施例に係るポンプとも、次の条件は同じである。電源電圧が１２Ｖで、モータの回転数が３０００ｒｐｍに設定した。消費電流は１５０ｍＡであった。羽根車（ロータ１５）の外径は２８ｍｍである。吸込管２５６及び吐出管２５７の内径及び外径は、それぞれ、３ｍｍ及び５ｍｍである。使用した液体は水道水である。また、外ケース２５および２５Ａの材料として使用した樹脂は、ＰＰＳ（ポリフェニレンサルファイド）である。
【００４６】
一方、本実施の形態に係る遠心式ポンプの正常運転時における１００％流量は、６１０ミリリットル／分であるの対して、従来の正常運転時における１００％流用は、６０４ミリリットル／分であった。このときの１００％流量の計測は、空気の混入の無い状態で、遠心式ポンプを運転し、遠心式ポンプに流量計を接続して、流量をモニタすることにより行った。
【００４７】
本発明者らは、遠心式ポンプに空気を混入した後に、初期（開始）流量から終了流量までの回復時間を比較した。ここで、空気の混入量を厳密に制御することは困難であるので、測定開始時の開始流量を５００ミリリットル／分とした。一方、測定終了時の終了流量を５８０ミリリットル／分に設定した。これにより、空気の混入量は一定では無いが、試験条件を実質的に同じにして、回復性能を測定することが可能となる。
【００４８】
本発明者らは、流量が５００ミリリットル／分の開始流量から５８０ミリリットル／分の終了流量に回復するまでの時間（以下、回復時間と呼ぶ）を計測した。その測定の結果、従来の遠心式ポンプ１０の回復時間は７分３９秒であったのに対して、本実施の形態に係る遠心式ポンプの回復時間は２分５１秒であった。すなわち、本実施の形態に係る遠心式ポンプは、従来の遠心式ポンプ１０に比較して、およそ２．７倍の速さで性能を回復したことが分かる。
【００４９】
上述した本発明の第１の実施の形態に係る遠心式ポンプでは、円筒管２５２Ａに切り欠き２５２ａを１箇所だけ設けているが、複数箇所設けても良いのは勿論である。
【００５０】
図１５及び図１６を参照して、本発明の第２の実施の形態に係る遠心式ポンプに使用される上ケース２５Ｂについて説明する。図示の上ケース２５Ｂは、円筒管の構成が後述するように相違している点を除いて、図９乃至図１２に示した上ケース２５Ａと同様の構成を有する。したがって、円筒管に２５２Ｂの参照符号を付してある。
【００５１】
図示の円筒管２５２Ｂは、ロータ１５の羽根車側に第１及び第２の切り欠き２５２ａ−１および２５２ａ−２を有している点を除いて、円筒管２５２Ａと同様の構成を有する。図示の円筒管２５２Ｂにおいて、第１の切り欠き２５２ａ−１は、吸込管（流入管）２５６の吸込口（流入口）２５６ａ側に形成されているのに対して、第２の切り欠き２５２ａ−１は、この第１の切り欠き２５２ａ−１と反対側に形成されている。換言すれば、第１及び第２の切り欠き２５２ａ−１および２５２ａ−２は中心軸Ｏの回りに対称に配置されている。第１及び第２の切り欠き２５２ａ−１、２５２ａ−２の各々は、円筒管２５２Ｂの内壁と外壁との間を連通するように形成されており、中心軸Ｏと平行に延在した矩形形状をしている。
【００５２】
このような構成の上ケース２５Ｂを備えた遠心式ポンプにおいても、上述した本発明の第１の実施の形態に係る遠心式ポンプと同様に、空気を液体に接触させることができ、遠心式ポンプ内に混入した空気を、効率良く外部へ排出することが可能となる。
【００５３】
図１７及び図１８を参照して、本発明の第３の実施の形態に係る遠心式ポンプに使用される上ケース２５Ｃについて説明する。図示の上ケース２５Ｃは、円筒管の構成が後述するように相違している点を除いて、図９乃至図１２に示した上ケース２５Ａと同様の構成を有する。したがって、円筒管に２５２Ｃの参照符号を付してある。
【００５４】
図示の円筒管２５２Ｃは、ロータ１５の羽根車側に第１乃至第３の切り欠き２５２ａ−１、２５２ａ−２および２５２ａ−３を有している点を除いて、円筒管２５２Ａと同様の構成を有する。図示の円筒管２５２Ｃにおいて、第１の切り欠き２５２ａ−１は、吸込管（流入管）２５６の吸込口（流入口）２５６ａ側に形成されているのに対して、第２及び第３の切り欠き２５２ａ−２および２５２ａ−３は、この第１の切り欠き２５２ａ−１に対して中心軸Ｏの回りに１２０°の角度間隔だけ離れた位置に形成されている。換言すれば、第１乃至第３の切り欠き２５２ａ−１〜２５２ａ−３は中心軸Ｏの回りに対称に配置されている。第１乃至第３の切り欠き２５２ａ−１〜２５２ａ−３の各々は、円筒管２５２Ｃの内壁と外壁との間を連通するように形成されており、中心軸Ｏと平行に延在した矩形形状をしている。
【００５５】
このような構成の上ケース２５Ｃを備えた遠心式ポンプにおいても、上述した本発明の第１の実施の形態に係る遠心式ポンプと同様に、空気を液体に接触させることができ、遠心式ポンプ内に混入した空気を、効率良く外部へ排出することが可能となる。
【００５６】
以上、本発明について好ましい実施の形態によって説明してきたが、本発明は上述した実施の形態に限定しないのは勿論である。例えば、上述した実施の形態では、切り欠きの個数が１〜３個の場合を例に挙げて説明しているが、切り欠きは４個以上あっても良いのは勿論である。又、切り欠きを設ける位置や形状も上述した実施の形態のものに限定されないのは勿論である。上述した実施の形態では、吸込口から吸い込まれた液体を中心軸に沿って羽根車まで導く筒管として、円筒管を例に挙げて説明しているが、筒管の断面形状は円形に限定されず、多角形であっても良い。
【図面の簡単な説明】
【００５７】
【図１】従来の遠心式ポンプの外観構成を示す斜視図である。
【図２】図１の線II−IIについての断面図である。
【図３】図１に示した遠心式ポンプに使用される上ケースを、底面側の一方向から見た斜視図である。
【図４】図１に示した遠心式ポンプに使用される上ケースを、底面側の別方向から見た斜視図である。
【図５】図１に示した遠心式ポンプに使用される、上ケースの線Ｖ−Ｖについての断面図である。
【図６】図１に示した遠心式ポンプに使用される、上ケースとロータとを組み合わせた組立て体の拡大断面図である。
【図７】図１に示した遠心式ポンプに使用される、上ケースの円管とロータの複数枚の羽根との間の配置関係を示す平面図である。
【図８】図１に示した従来の遠心式ポンプの動作を説明するための上ケースの断面図である。
【図９】本発明の第１の実施の形態に係る遠心式ポンプに使用される上ケースを、底面側の一方向から見た斜視図である。
【図１０】本発明の第１の実施の形態に係る遠心式ポンプに使用される上ケースを、底面側の別方向から見た斜視図である。
【図１１】図９及び図１０の上ケースの断面図である。
【図１２】本発明の第１の実施の形態に係る遠心式ポンプに使用される、上ケースの円管とロータの複数枚の羽根との間の配置関係を示す平面図である。
【図１３】吸込口（流入口）付近の液体の流入路（吸込管および円筒管）における液体の流速の矢印の長さで示した図である。
【図１４】図１及び図２に示した上ケースを備えた遠心式ポンプの動作を説明するための上ケースの断面図である。
【図１５】本発明の第２の実施の形態に係る遠心式ポンプに使用される上ケースを、底面側の一方向から見た斜視図である。
【図１６】本発明の第２の実施の形態に係る遠心式ポンプに使用される上ケースを、底面側の別方向から見た斜視図である。
【図１７】本発明の第３の実施の形態に係る遠心式ポンプに使用される上ケースを、底面側の一方向から見た斜視図である。
【図１８】本発明の第３の実施の形態に係る遠心式ポンプに使用される上ケースを、底面側の別方向から見た斜視図である。
【符号の説明】
【００５８】
１０    遠心式ポンプ
１１    固定軸
１３    軸受け
１５    ロータ
１７    基板
１９    ステータ
２１    下ケース
２３    シールゴム
２５Ａ、２５Ｂ、２５Ｃ    上ケース
２５１    上支持部
２５２Ａ、２５２Ｂ、２５２Ｃ    円筒管
２５１ａ、２５２ａ−１、２５２ａ−２、２５２ａ−３    切り欠き
２５３    カップ状部
２５４    円環部
２５６    吸込管（流入管）
２５６ａ    吸込口（流入口）
２５７    吐出管（流出管）
２５７ａ    吐出口（流出口）
【図１】
2007113472.tif 000003
【図２】
2007113472.tif 000004
【図３】
2007113472.tif 000005
【図４】
2007113472.tif 000006
【図５】
2007113472.tif 000007
【図６】
2007113472.tif 000008
【図７】
2007113472.tif 000009
【図８】
2007113472.tif 000010
【図９】
2007113472.tif 000011
【図１０】
2007113472.tif 000012
【図１１】
2007113472.tif 000013
【図１２】
2007113472.tif 000014
【図１３】
2007113472.tif 000015
【図１４】
2007113472.tif 000016
【図１５】
2007113472.tif 000017
【図１６】
2007113472.tif 000018
【図１７】
2007113472.tif 000019
【図１８】
2007113472.tif 000020